(57)【要約】【課題】ポリマー碍子に鳥類忌避剤を坦持させて、少なくとも送電設備の施工工事期間中、鳥類忌避効果を保持させることにより、鳥類のポリマー碍子に対する啄みを阻止して、啄みに起因する被覆体の破損を防止し得るようにする。【解決手段】鳥害防止ポリマー碍子は、強化プラスチック製の芯体１１の外周をゴム製の被覆体１２にて被覆してなる碍子本体と、同碍子本体の各端部に嵌合固着してなる一対の把持金具１３からなるポリマー碍子であって、被覆体１２にカプサイシン等の鳥類忌避剤を坦持させている。【選択図】  図１
2005142106.tif 000002
【特許請求の範囲】
【請求項１】
強化プラスチック製の芯体の外周にゴム製の被覆体を被覆してなる碍子本体と、同碍子本体の各端部に嵌合固着してなる一対の把持金具とからなるポリマー碍子であり、前記被覆体は鳥類忌避剤を坦持していることを特徴とする鳥害防止ポリマー碍子。
【請求項２】
請求項１に記載の鳥害防止ポリマー碍子において、前記鳥類忌避剤は前記被覆体の表面に塗布されていることを特徴とする鳥害防止ポリマー碍子。
【請求項３】
請求項１に記載の鳥害防止ポリマー碍子において、前記鳥害忌避剤が前記被覆体を構成する原料ゴムに練り込まれていることを特徴とする鳥害防止ポリマー碍子。
【請求項４】
請求項１〜３のいずれか一項に記載の鳥害防止ポリマー碍子において、前記鳥害忌避剤は前記被覆体に対して０．０１重量％〜２０重量％坦持されていることを特徴とする鳥害防止ポリマー碍子。
【請求項５】
請求項１〜４のいずれか一項に記載の鳥害防止ポリマー碍子において、前記鳥害忌避剤は、鳥類の味覚を刺激する味覚刺激剤であることを特徴とする鳥害防止ポリマー碍子。
【請求項６】
請求項５に記載の鳥害防止ポリマー碍子において、前記味覚刺激剤は唐辛子、生姜、山椒、千日草、ヤナギタデ、わさび、芥子種、または、これらから抽出される辛味成分であることを特徴とする鳥害防止ポリマー碍子。
【請求項７】
請求項５に記載の鳥害防止ポリマー碍子において、前記味覚刺激剤はセンブリ、ニガキ、クララ、または、これらから抽出される苦味成分であることを特徴とする鳥害防止ポリマー碍子。
【発明の詳細な説明】
【技術分野】
【０００１】
本発明は、屋外設置のポリマー碍子であって、鳥類が忌避する鳥害防止ポリマー碍子に関する。
【背景技術】
【０００２】
碍子の一形式として、強化プラスチック製の芯体の外周をゴム製の被覆体にて被覆してなる碍子本体と、同碍子本体の各端部に嵌合固着してなる一対の把持金具とからなる形式のポリマー碍子がある。当該形式のポリマー碍子は、軽量でありながら機械的強度および耐候性に優れ、かつ、高絶縁性であることから、屋外設置の碍子として普及している。
【０００３】
当該形式のポリマー碍子は、このように優れたものではあるものの、構造上、ゴム製の被覆体が強化プラスチック製の芯体の外周に位置し、当該被覆体が有する柔軟性に富む複数の笠部が野鳥等好奇心の強い鳥類の格好の興味の対象となり、鳥類は被覆体の主として笠部を標的として啄んで、被覆体の笠部を破損させ併せて被覆体の胴部をも破損させるという、磁器碍子には存在しない新たな問題が発生している。送電設備における鳥害防止対策としては、磁器碍子が設置されている電柱腕金に鳥類を近づけないようにする鳥害防止具が開発されている（特許文献１参照）。
【０００４】
当該鳥害防止具は、防止具の基体に上方へ突出する針状の多数の突起を有するもので、磁器碍子が設置されている電柱腕金に取付けられて、鳥類が電柱腕金および磁器碍子に近づかないようにしているものである。従って、当該鳥害防止具は、当該形式のポリマー碍子の鳥害防止対策にも利用することは可能であるが、当該鳥害防止具は電柱腕金の全体を占める大型のもので、１個のポリマー碍子に対する鳥害防止具としては経済的には実用不可能であるとともに、電柱腕金に設置されない使用態様のポリマー碍子には鳥害防止効果は奏し得ない。
【０００５】
鳥類がポリマー碍子を啄んで破損させるのは、ポリマー碍子が設置された送電設備の施工工事期間中であって、当該送電設備における通電前の段階に集中する。当該送電設備による送電開始以降は、ポリマー碍子には電界が発生していること、高圧電流が送電されていること等のため、鳥類がポリマー碍子に近づくようなことはなく、鳥類の啄みに起因するポリマー碍子の破損は発生しない。このような状況下での、現在の鳥害防止対策としては、送電設備の施工工事期間中、ポリマー碍子を保護カバーやネットで覆う手段が採られている。しかしながら、このような鳥害防止対策では不十分であることは明らかであって、好奇心の強い鳥類は、保護カバーやネットを通してポリマー碍子の被覆体を啄んで、ポリマー碍子を破損させているのが実状である。
【特許文献１】特開平１１−２８９６４４号公報
【発明の開示】
【発明が解決しようとする課題】
【０００６】
従って、本発明の目的は、ポリマー碍子に鳥類忌避剤を坦持させて、少なくとも送電設備の施工工事期間中は鳥類忌避効果を持続させることにより、鳥類のポリマー碍子に対する啄み動作を阻止して、啄みに起因するポリマー碍子の被覆体における破損の発生を防止すること、換言すれば、鳥類に対する忌避効果を自ら有する鳥害防止ポリマー碍子を提供することにある。
【課題を解決するための手段】
【０００７】
本発明は、鳥害防止ポリマー碍子に関する。本発明に係る鳥害防止ポリマー碍子は、強化プラスチック製の芯体の外周をゴム製の被覆体にて被覆してなる碍子本体と、同碍子本体の各端部に嵌合固着してなる一対の把持金具とからなるポリマー碍子であって、前記被覆体に鳥類忌避剤を坦持させていることを特徴とするものである。
【０００８】
本発明に係る鳥害防止ポリマー碍子においては、前記鳥類忌避剤を前記被覆体の表面に塗布し、または、前記鳥類忌避剤を、前記被覆体を構成する原料ゴムに予め練り込んで坦持させるようにすることができる。この場合、前記鳥類忌避剤は、前記被覆体に対して０．０１重量％〜２０重量％坦持させるようにすることが好ましい。
【０００９】
また、本発明に係る鳥害防止ポリマー碍子においては、前記鳥類忌避剤としては、鳥類の味覚を刺激する味覚刺激剤を採用すること、前記味覚刺激剤としては、辛味成分や辛味成分を含有する物質等、または、苦味成分や苦味成分を含有する物質等を採用することができる。
【００１０】
辛味成分を含有する物質としては、唐辛子、生姜、山椒、千日草、ヤナギタデ、わさび、芥子種等の植物を挙げることができる。また、辛味成分としては、これらの植物から抽出される辛味成分であって、例えば、カプサイシン、６−ジンゲロール、α−サンショオール、スピラントール、タデオナール、シニグリン等を挙げることができる。苦味成分を含有する物質としては、センブリ、ニガキ、クララ等の植物を挙げることができる。また、苦味成分としては、これらの植物から抽出される苦味成分であって、例えば、スウェルチアマリン、クアシン、マトリン等を挙げることができる。
【発明の効果】
【００１１】
本発明に係る鳥害防止ポリマー碍子は、碍子本体を構成する被覆体に鳥類忌避剤を、被覆体の表面に塗布し、または、被覆体を構成する原料ゴムに予め練り込んで坦持されているものであり、鳥類が最も興味を引き悪戯の対象とする被覆体の笠部には、鳥類忌避剤が相当長期にわたって保持されている。このため、鳥類は、当該鳥害防止ポリマー碍子の被覆体を一度啄んでも二度と啄むことはない。また、鳥類はこの経験を繰り返せば、その後は、鳥類は本能的に、当該鳥害防止ポリマー碍子の被覆体を啄むことを拒否するものと認められる。
【００１２】
当該鳥害防止ポリマー碍子を設置した送電設備を実際に施工工事する実験によれば、送電設備の施工工事期間中に、被覆体に鳥類が啄んだ痕跡がわずか数カ所存在するポリマー碍子が若干数認められたが、啄んだ痕跡が全く存在しないポリマー碍子が多く認められた。
【００１３】
本発明に係る鳥害防止ポリマー碍子において、好適に採用し得る鳥類忌避剤は鳥類の味覚を刺激する味覚刺激剤である。また、当該味覚刺激剤としては、入手が容易な辛味成分、苦味成分を含有する植物や、当該植物から抽出される辛味成分、苦味成分が好ましい。具体的には、辛味成分を含有する植物としては、唐辛子、生姜、山椒、千日草、ヤナギタデ、わさび、芥子種等の植物を挙げることができる。また、辛味成分としては、これらの植物から抽出される辛味成分、例えばカプサイシン、６−ジンゲロール、α−サンショオール、スピラントール、タデオナール、シニグリン等を挙げることができる。
【００１４】
また、苦味成分を含有する植物としては、センブリ、ニガキ、クララ等の植物を挙げることができる。また、苦味成分としては、これらの植物から抽出される苦味成分、例えばスウェルチアマリン、クアシン、マトリン等を挙げることができる。
【発明を実施するための最良の形態】
【００１５】
本発明は、鳥害防止ポリマー碍子に関するもので、当該鳥害防止ポリマー碍子は、強化プラスチック製の芯体の外周をゴム製の被覆体にて被覆してなる碍子本体と、同碍子本体の各端部に嵌合固着してなる一対の把持金具とからなる形式のポリマー碍子を適用対象とするものである。図１には、本発明が適用対象とする従来のポリマー碍子の一例を示している。
【００１６】
当該ポリマー碍子１０は、ガラス繊維を強化材とするエポキシ樹脂からなる強化プラスチック製で所定長さの棒状の芯体１１と、芯体１１の外周のほとんど全てを被覆するシリコーンゴム製の被覆体１２を碍子本体としている。当該碍子本体には、碍子本体を構成する芯体１１の各端部に、各把持金具１３が被覆体１２による被覆部まで嵌合されて、当該被覆部にカシメ手段にて固着されて、ポリマー碍子１０が構成されている。
【００１７】
被覆体１２は、棒状の芯体１１の外周を被覆する胴部１２ａと、胴部１２ａと一体で胴部１２ａの外周から外方へ突出する円盤状の複数の笠部１２ｂとからなるもので、各笠部１２ｂは芯体１１の長さ方向に等間隔を保持して階段状に位置している。被覆体１２は、芯体１１と一体成形されて、芯体１１の外周に加硫接着されている。被覆体１２の胴部１２ａと各笠部１２ｂとは、芯体１１との一体成形時に、互いに一体成形される。当該ポリマー碍子１０は、それ自体公知のものである。
【００１８】
本発明に係る鳥害防止ポリマー碍子１０Ａは、当該ポリマー碍子１０における被覆体１２に、鳥類忌避剤である味覚刺激剤を坦持させているものである。味覚刺激剤としては、辛味成分、苦味成分を含有する植物や、当該植物から抽出される辛味成分、苦味成分が好ましい。
【００１９】
具体的には、辛味成分を含有する植物としては、唐辛子、生姜、山椒、千日草、ヤナギタデ、わさび、芥子種等の植物を挙げることができる。また、辛味成分としては、これらの植物から抽出される辛味成分、例えばカプサイシン、６−ジンゲロール、α−サンショオール、スピラントール、タデオナール、シニグリン等を挙げることができる。また、苦味成分を含有する植物としては、センブリ、ニガキ、クララ等の植物を挙げることができる。また、苦味成分としては、これらの植物から抽出される苦味成分、例えばスウェルチアマリン、クアシン、マトリン等を挙げることができる。本実施形態に係る鳥害防止ポリマー碍子１０Ａにおいては、容易に入手できる唐辛子の辛味成分であるカプサイシンを採用している。
【００２０】
カプサイシンを被覆体１２に坦持させる手段としては、カプサイシンをエタノールに溶解して噴霧器等で、被覆体１２の胴部１２ａおよび各笠部１２ｂの表面に噴霧して塗布する方法、カプサイシンをシリコーンオイルに溶解して、これを被覆体１２の胴部１２ａおよび各笠部１２ｂの表面に塗布する方法、被覆体１２の成形材料である未加硫状態のシリコーンゴムに練り込む方法等があり、これらの坦持方法は、適宜選択して使用することができる。カプサイシンの被覆体１２への坦持量は、被覆体１２に対して０．０１重量％〜２０重量％の範囲で適宜選定することができる。
【００２１】
図２は、本発明に係る鳥害防止ポリマー碍子１０Ａの、送電設備の施工工事の終了後における外観の一部を示し、図３は、従来のポリマー碍子１０の、同じ地域での送電設備の施工工事終了後における外部の一部を示している。当該送電設備の施工工事は、外国の自然環境が豊かな地域での３ヶ月間にわたる施工工事であるが、当該地域は、自然環境が豊かであることから、オウム、カラス、その他の種々の野鳥が多数生息している。従って、当該地域では、従来のポリマー碍子１０に対する鳥害が多発しており、当該送電設備の施工工事の期間中、鳥害（欠損部１２ｃ）は図３に示す通りであった。これに対して、本発明に係る鳥害防止ポリマー碍子１０Ａにおいては、図２に示す通りであり、当該送電設備の施工工事の期間中、欠損部１２ｃのごとき鳥害箇所はほとんど認められない。
【００２２】
本発明に係る鳥害防止ポリマー碍子１０Ａにおいては、味覚刺激剤として辛味成分であるカプサイシンを使用した例について例示しているが、他の辛味成分を使用しても、当然のことながら、当該鳥害防止ポリマー碍子１０Ａと同等または近似する作用効果を奏するものと認められる。
【実施例１】
【００２３】
本実施例では、本発明に係る鳥害防止ポリマー碍子の鳥害防止効果を確認するための実験と、当該鳥害防止ポリマー碍子の鳥害防止効果と対比するために、従来のポリマー碍子の鳥害状態を確認する実験とを併せて行った。本実施例では、鳥類忌避剤として、カプサイシンをエタノールに溶解してなる濃度５ｗｔ％のカプサイシン・エタノール溶液（忌避剤１）、カプサイシンをエタノールに溶解してなる濃度０．０５ｗｔ％のカプサイシン・エタノール溶液（忌避剤２）、および、カプサイシンをシリコーンオイルに溶解してなる濃度０．０５ｗｔ％のカプサイシン・シリコーンオイル溶液（忌避剤３）を採用した。
【００２４】
各実験に供した供試品の調製には、実施形態の項で示している従来のポリマー碍子と同様のポリマー碍子を採用した。但し、当該ポリマー碍子は、４枚の笠部を階段状に有するもので、碍子本体の長さが２５ｃｍで、笠部の外径が１２．６ｃｍ、笠部の厚みが０．７ｃｍのものである。
【００２５】
供試品１は、当該碍子本体を構成する笠部の全表面に忌避剤１をスプレーにより塗布して調製したもので、忌避剤１の皮膜が笠部の全表面を被覆している状態にある。供試品２は、当該碍子本体を構成する笠部の全表面に忌避剤２をスプレーにより塗布して調製したもので、忌避剤２の皮膜が笠部の全表面を被覆している状態にある。供試品３は、当該碍子本体を構成する笠部の全表面に忌避剤３を刷毛で塗布して調製したもので、忌避剤３が笠部の全表面から内部に浸透して笠部の内部全体に分散している状態にある。なお、供試品４は、当該碍子本体そのままのポリマー碍子であって、忌避剤を坦持していない従来のポリマー碍子と同様のものである。
【００２６】
本実施例では、縦横２ｍで高さ２ｍの大きさの鳥かご１台と、コンゴーインコ２羽を用意し、鳥かご内にエサ、供試品および２羽のコンゴーインコを収容した状態で、コンゴーインコの供試品に対する啄み状況を観察する実験を試みた。当該鳥かご内のこのような状況では、収容されている２羽のコンゴーインコはえさを食べるか供試品を啄むかしか無い状態にあって、供試品は、実際の送電設備の施工工事中にポリマー碍子が置かれる環境に比較して極めて過酷な状態にある。
【００２７】
本実施例では、具体的には、２羽のコンゴーインコとエサが収容されている鳥かご内に、先ず供試品４（忌避剤の非坦持品）を収容して、コンゴーインコにとっては未知の物体である供試品４の形状に慣れさせ、かつ、舌で味わって味を確かめてから啄むコンゴーインコの習性を利用して、供試品４がコンゴーインコにとって危険な物ではないことを認知させ、供試品４の笠部に対する啄みを確認して、供試品４をこの状態の鳥かご内にそのままの状態で保持した。この状態で、コンゴーインコの供試品４の笠部に対する啄み状態を観察した。
【００２８】
供試品４は、その全ての笠部がほとんど損傷した状態になった時点（収容後５日目）で鳥かご内から取出し、このような状況にある鳥かご内には、次いで、辛み度合いの低い供試品２および供試品３を同時に収容して、コンゴーインコの各供試品２，３の笠部に対する啄みを確認し、両供試品２，３をこの状態の鳥かご内にそのままの状態で保持して、コンゴーインコの供試品２，３の笠部に対する啄み状態を観察した。供試品３は、その全ての笠部がほとんど損傷した状態になった時点（収容後１０日目）で鳥かご内から取出した。このような状況にある鳥かご内には、最後に、辛み度合いの高い供試品１を収容して、コンゴーインコの供試品１の笠部に対する啄み状態を観察した。
【００２９】
このような過酷な状況の環境下での各供試品（ポリマー碍子）に対するコンゴーインコの鳥害（笠部の欠損状況）を、鳥かごの外から観察して確認した。得られた結果を表１に示す。但し、表１中の「啄み開始」の欄は、供試品を鳥かご内に収容してから、コンゴーインコが供試品の笠部を啄む動作を開始した日時を示している。また、「実験経過日数（日）」の欄は、供試品を鳥かご内に収容した時点を基準とする経過日数（日）を意味し、同欄の数値は、全ての笠部における啄みによる欠損部を総合した状態の全ての笠部全体に対する割合（％）を示している。
【表１】
2005142106.tif 000003
【００３０】
表１に示す結果を参照すると、極めて過酷な状況の環境に置かれた通常のポリマー碍子（供試品４）では、コンゴーインコが笠部の啄みを開始する時間は５分と極めて短く、５日経過後では笠部のほとんど全てが欠損している状態にある。コンゴーインコによる供試品に対する啄み開始日時および欠損の経過日数は、笠部に忌避剤を坦持させているポリマー碍子（供試品１〜３）では大きく遅延し、また、笠部が坦持する忌避剤の量が多いほど大きく遅延していることが確認される。
【００３１】
供試品１は、濃度５ｗｔ％のカプサイシン・エタノール溶液を笠部に塗布しているものであり、これに対して、供試品２は、濃度０．０５ｗｔ％のカプサイシン・エタノール溶液を笠部に塗布しているものである。このため、供試品１の笠部の表面に坦持されている忌避剤の量は供試品２に比較して極めて多く、鳥害の防止効果が極めて高い。
【００３２】
また、供試品２と供試品３では、共に、同等の濃度の忌避剤を採用してはいるが、供試品２は、カプサイシン・エタノール溶液を笠部の表面に塗布しているものであって、カプサイシンのほとんどが笠部の表面に残留している。これに対して、供試品３は、カプサイシン・シリコーンオイル溶液を笠部の表面に塗布しているものであって、カプサイシンは笠部の表面から内部に侵入し、笠部の表面に残留しているカプサイシンの量は供試品２に比較して極めて少ない。このため、供試品３は供試品４に比較して鳥害防止効果が高いものの、鳥害防止効果は供試品２に比較して低いものとなっている。
【実施例２】
【００３３】
本実施例では、実施例１で使用している鳥類忌避剤とは異なる２種類の鳥類忌避剤を採用して調製した、２種類の鳥害防止ポリマー碍子の鳥害防止効果を確認するための実験を行った。
【００３４】
本実施例における各実験では、鳥類忌避剤として、６−ジンゲロールをエタノールに溶解してなる濃度５ｗｔ％のジンゲロール・エタノール溶液（忌避剤５）、クアシンをエタノールに溶解してなる濃度５ｗｔ％のクアシン・エタノール溶液（忌避剤６）を採用した。また、各実験に供した供試品の調製には、実施例１の各実験で使用しているポリマー碍子と同じ形状および構造のポリマー碍子を採用した。供試品５は、当該ポリマー碍子の碍子本体を構成する笠部の全表面に忌避剤５をスプレーにより塗布して調製したものであり、供試品６は、当該ポリマー碍子の碍子本体を構成する笠部の全表面に忌避剤６をスプレーにより塗布して調製したものである。これらの各忌避剤５，６は、いずれも、笠部の表面を被覆する皮膜を形成している。
【００３５】
本実施例では、縦横２ｍで高さ２ｍの大きさの鳥かご２台を用意し、各鳥かご毎に、その内部にエサ、供試品および２羽のコンゴーインコを収容し、この状態で、コンゴーインコの供試品に対する啄み状況を観察する実験を試みた。各鳥かご内のこのような状況は、実施例１の鳥かご内の状況と同様であって、各供試品５，６は、実際の送電設備の施工工事中にポリマー碍子が置かれる環境に比較して極めて過酷な状態にある。具体的には、２羽のコンゴーインコとエサが収容されている１台の鳥かご内に供試品５を収容し、かつ、２羽のコンゴーインコとエサが収容されている他の１台の鳥かご内に供試品６を収容し、各鳥かご内におけるコンゴーインコの供試品５、供試品６の笠部に対する啄み状態を観察した。
【００３６】
このような過酷な状況の環境下での各供試品５，６に対するコンゴーインコによる鳥害（笠部の欠損状況）を、鳥かごの外から観察して確認した。得られた結果を、実施例１における供試品４（忌避剤の非坦持品）の結果と併せて、表２に示す。但し、表２中の「啄み開始」の欄および「実験経過日数（日）」の欄は、実施例１における表１と同様のものであって、「啄み開始」の欄は、供試品を鳥かご内に収容してから、コンゴーインコが供試品の笠部を啄む動作を開始した日時を示している。また、「実験経過日数（日）」の欄は、供試品を鳥かご内に収容した時点を基準とする経過日数（日）を意味し、同欄の数値は、全ての笠部における啄みによる欠損部を総合した状態の全ての笠部全体に対する割合（％）を示している。
【表２】
2005142106.tif 000004
【００３７】
表２に示す結果を参照すると、極めて過酷な状況の環境に置かれた通常のポリマー碍子（供試品４）では、コンゴーインコが笠部の啄みを開始する時間は５分と極めて短く、５日経過後では笠部のほとんど全てが欠損している状態にある。コンゴーインコの供試品に対する啄み開始日時および欠損の経過日数は、供試品の笠部に忌避剤を坦持させているポリマー碍子（供試品５，６）では大きく遅延していることが確認される。
【００３８】
各供試品５，６間では、鳥害防止効果に若干の差が認められる。また、実験環境が必ずしも同一ではないが、各供試品５，６と各供試品１〜３との間でも鳥害防止効果に差が認められる。これの供試品間での鳥害防止効果の差は、鳥類忌避剤の種類、その坦持態様、その表面坦持量等の違いに起因しているものと推測される。
【図面の簡単な説明】
【００３９】
【図１】本発明が適用対象とするポリマー碍子の一部を切欠いた側面図である。
【図２】本発明に係る鳥害防止ポリマー碍子における施工工事期間経過後の外観の一部を示す部分側面図である。
【図３】従来のポリマー碍子における施工工事期間経過後の外観の一部を示す部分側面図である。
【符号の説明】
【００４０】
１０…従来のポリマー碍子、１０Ａ…本発明に係る鳥害防止ポリマー碍子、１１…芯体、１２…被覆体、１２ａ…胴部、１２ｂ…笠部、１２ｃ…欠損部、１３…把持金具。
【図１】
2005142106.tif 000005
【図２】
2005142106.tif 000006
【図３】
2005142106.tif 000007